(57)【特許請求の範囲】
【請求項１】
複数の貯蔵室と、
前記各貯蔵室の運転設定を行う操作パネルと、
前記各貯蔵室の扉のうち少なくとも１つの扉の開閉を検知する扉開閉検知手段と、
を備え、
前記操作パネルは、
前記複数の貯蔵室のうち、運転設定を行う貯蔵室を選択する選択スイッチと、
前記貯蔵室の運転設定の操作を行う１つまたは複数の設定スイッチと、
前記複数の貯蔵室のうち、前記選択スイッチにより選択された貯蔵室の情報を表示する選択部屋表示部と、
前記貯蔵室の運転設定の情報を表示する設定表示部と
を有し、
前記選択スイッチおよび前記設定スイッチの操作順序に応じて、前記選択部屋表示部および前記設定表示部に表示する複数の情報を、時間をずらして順次表示し、
前記選択スイッチの操作に代えて、前記扉開閉検知手段により扉の開閉を検知した貯蔵室を、運転設定を行う貯蔵室として選択する
ことを特徴とする冷蔵庫。
【請求項２】
前記操作パネルは、
前記選択スイッチおよび前記設定スイッチのそれぞれに対応して、各スイッチの操作内容の情報を表示するスイッチ用表示部を有し、
前記選択スイッチおよび前記設定スイッチの操作順序に応じて、前記スイッチ用表示部に表示する情報を順次表示する
ことを特徴とする請求項１記載の冷蔵庫。
【請求項３】
前記操作パネルは、
前記選択スイッチおよび前記設定スイッチの操作順序に応じて、前記選択部屋表示部の表示をする際、
前記選択スイッチにより選択可能な全ての貯蔵室の情報を所定時間表示した後に、前記選択スイッチにより選択された貯蔵室の情報を表示する
ことを特徴とする請求項１または２記載の冷蔵庫。
【請求項４】
前記操作パネルは、
前記選択スイッチおよび前記設定スイッチの操作順序に応じて、前記設定表示部の表示をする際、
前記設定スイッチにより操作可能な全ての運転設定の情報を所定時間表示した後に、前記設定スイッチにより設定された運転設定の情報を表示する
ことを特徴とする請求項１〜３の何れか一項に記載の冷蔵庫。
【請求項５】
前記操作パネルは、
前記スイッチ用表示部に表示する各スイッチの操作内容の情報のうち、操作が無効状態のスイッチに対応する操作内容の情報を表示しない
ことを特徴とする請求項２記載の冷蔵庫。
【請求項６】
複数の前記設定スイッチのうち少なくとも１つは、
前記選択スイッチにより選択された貯蔵室に応じて複数の運転設定の操作を行い、
前記スイッチ用表示部は、
複数の運転設定の操作を行う前記設定スイッチの操作内容の情報を、前記選択スイッチにより選択された貯蔵室に応じて表示する
ことを特徴とする請求項２または５記載の冷蔵庫。
【請求項７】
複数の貯蔵室と、
前記各貯蔵室の運転設定を行う操作パネルと、
前記各貯蔵室の扉のうち少なくとも１つの扉の開閉を検知する扉開閉検知手段と、
を備え、
前記操作パネルは、
前記複数の貯蔵室のうち、運転設定を行う貯蔵室を選択する選択スイッチと、
前記貯蔵室の運転設定の操作を行う１つまたは複数の設定スイッチと、
前記複数の貯蔵室のうち、前記選択スイッチにより選択された貯蔵室の情報を表示する選択部屋表示部と、
前記貯蔵室の運転設定の情報を表示する設定表示部と
を有し、
前記選択スイッチおよび前記設定スイッチの操作順序に応じて、前記選択部屋表示部および前記設定表示部に表示する情報を順次表示し、
前記選択スイッチの操作に代えて、前記扉開閉検知手段により扉の開閉を検知した貯蔵室を、運転設定を行う貯蔵室として選択する
ことを特徴とする冷蔵庫。
【発明の詳細な説明】
【技術分野】
【０００１】
本発明は、冷蔵庫に関し、特にその操作パネルの操作性に関するものである。
【背景技術】
【０００２】
近年、ユーザーに使用されている冷蔵庫は、食生活の多様化に伴い、温度帯の異なる複数の部屋（貯蔵室）に区切られた冷蔵庫が主流となっている。また、ユーザーの好みによって、冷蔵庫のそれぞれの部屋は、温度設定を少し低め、又は、少し高めに調節することを可能としている。さらに、部屋の温度を約３℃の冷蔵温度から約−１８℃の冷凍温度まで自由に設定可能な、温度切替室等を搭載する冷蔵庫も多い。
【０００３】
上記のような複数の部屋（貯蔵室）を搭載した冷蔵庫において、各部屋の温度設定を冷蔵庫の扉の表面等に設置された操作パネルで調節可能としているが、部屋ごとに調節用のスイッチを設置すると、部屋の数の分だけスイッチが増えて操作が煩雑になり、操作パネルが大きくなって広い設置スペースを要し、さらに、コストアップにつながることになる。
【０００４】
また、デザイン性の面からも、操作パネル及び設置スペースは、それほど大きくできるものではないため、スイッチ又は表示要素が増加する場合には、表示要素１つあたりの文字及び数字のサイズ、又は、スペースを小さくする必要があり、視認性の悪化、又は、誤操作を誘発する恐れがある。
【０００５】
上記のような各部屋ごとに温度調節用のスイッチを設けた冷蔵庫として、冷蔵室の扉の前面に冷蔵室用及び冷凍室用として個別にそれぞれ温度表示部及び温度設定スイッチを設けた冷蔵庫が提案されている（例えば、特許文献１参照）。このような冷蔵庫において、一つのスイッチで操作するのは一つの部屋の設定のみであり、また、一つの部屋の表示を行うのも一つの温度表示部のみである。温度表示部には通常、現在の庫内の温度を表示するが、上記の冷蔵庫においては、温度設定スイッチを操作した場合は、庫内の温度表示を一旦消して、代わりに、目標となる設定温度を表示する。設定温度を表示した後に、もう一度温度設定スイッチを操作すると、温度設定段階が一段階調節される。温度設定スイッチの操作による調節を終えて、一定時間以上温度設定スイッチを押さないと、庫内温度の表示に戻る。このような構成の操作パネルにすることで、１つの表示エリアに、現在の庫内の温度と目標となる設定温度との２つの情報を表示でき、結果として、操作パネルの表示エリアの節約、及び、サイズアップの抑制が実現できるものとしている。
【０００６】
しかし、上記のような冷蔵庫においては、冷蔵庫の部屋別に専用のスイッチを設ける構成としたものであり、この場合、設定をしたい部屋が増えると、増えた分だけスイッチを増やし、また、操作パネルのサイズを大きくする必要がある。このような問題を解決する冷蔵庫として、冷蔵室、野菜室、切替室又は冷凍室等の複数の部屋の庫内温度、設定温度及び運転状態等を各部屋ごとに画面を切替える切替スイッチと、この切替スイッチによって切り替えられ、選択された部屋の設定、室内温度、設定温度又は運転状態等を表示することを可能としたものがある（例えば、特許文献２参照）。このような冷蔵庫においては、部屋ごとに一つの画面を有し、切替スイッチにより画面を切り替えることによって、一度に表示する内容を制限することができるので、１つの表示要素のサイズ及びスペースを大きくとることができる。また、部屋の数だけスイッチを設けるのではなく、設定温度を切替え、又は、急冷の設定を行う等の、各部屋に共通する機能の数だけスイッチを用意すればよいから、スイッチの増加による操作パネルの大型化、煩雑化及びコストアップを抑制することができる。
【先行技術文献】
【特許文献】
【０００７】
【特許文献１】特開２０００−２６６４５４号公報（第３頁、図１）
【特許文献２】特開２００３−６５６５４号公報（第４頁、図２）
【発明の概要】
【発明が解決しようとする課題】
【０００８】
上記の特許文献２に係る冷蔵庫においては、冷蔵室、野菜室、切替室又は冷凍室等の複数個の部屋の庫内温度、設定温度及び運転状態等を各部屋ごと画面を切替える切替スイッチと、この切替スイッチによって切り替えられ特定された部屋の設定、室内温度、設定温度又は運転状態等を表示するような操作パネルにすることで、操作パネルの大型化、煩雑化及びコストアップを抑制することができるとされている。
しかしながら、部屋（貯蔵室）ごとの画面を切り替えるスイッチと、温度設定を変更するスイッチとが別々のため、どのスイッチをどのような順序で操作してよいのか分かりづらい、という問題点があった。
【０００９】
また、部屋ごとの画面を切り替えるスイッチや温度設定を変更するスイッチを操作をした際に、現在選択している部屋とその設定情報しか表示しないため、どのスイッチによりどのような操作が可能であるのか分かりづらい、という問題点があった。
【００１０】
本発明は、上記のような課題を解決するためになされたもので、操作パネルに設けられた複数のスイッチを、どのような順序で操作すればよいかユーザーに認識させることができ、操作パネルの操作性を向上することができる冷蔵庫を得るものである。
また、操作パネルに設けられたスイッチによりどのような操作が可能であるのかユーザーに認識させることができ、操作パネルの操作性を向上することができる冷蔵庫を得るものである。
【課題を解決するための手段】
【００１１】
本発明に係る冷蔵庫は、複数の貯蔵室と、前記各貯蔵室の運転設定を行う操作パネルと、前記各貯蔵室の扉のうち少なくとも１つの扉の開閉を検知する扉開閉検知手段と、を備え、前記操作パネルは、前記複数の貯蔵室のうち、運転設定を行う貯蔵室を選択する選択スイッチと、前記貯蔵室の運転設定の操作を行う１つまたは複数の設定スイッチと、前記複数の貯蔵室のうち、前記選択スイッチにより選択された貯蔵室の情報を表示する選択部屋表示部と、前記貯蔵室の運転設定の情報を表示する設定表示部とを有し、前記選択スイッチおよび前記設定スイッチの操作順序に応じて、前記選択部屋表示部および前記設定表示部に表示する複数の情報を、時間をずらして順次表示し、前記選択スイッチの操作に代えて、前記扉開閉検知手段により扉の開閉を検知した貯蔵室を、運転設定を行う貯蔵室として選択するものである。
【発明の効果】
【００１２】
本発明は、操作パネルに設けられた選択スイッチおよび設定スイッチを、どのような順序で操作すればよいかユーザーに認識させることができ、操作パネルの操作性を向上することができる。
【図面の簡単な説明】
【００１３】
【図１】実施の形態１に係る冷蔵庫の概略正面図である。
【図２】実施の形態１に係る操作パネルの構成と表示状態を示す図である。
【図３】実施の形態１に係る操作パネルの断面図である。
【図４】実施の形態１に係る操作パネルによる各設定の選択範囲と変更順序を示す図である。
【図５】実施の形態１に係る操作パネルの動作（全消灯時：例１）を示す図である。
【図６】実施の形態１に係る操作パネルの動作（全消灯時：例２）を示す図である。
【図７】実施の形態１に係る操作パネルの動作（全消灯時：例３）を示す図である。
【図８】実施の形態１に係る操作パネルの動作（全消灯時：例４）を示す図である。
【図９】実施の形態１に係る操作パネルの動作（点灯時：例１）を示す図である。
【図１０】実施の形態１に係る操作パネルの動作（点灯時：例２）を示す図である。
【図１１】実施の形態１に係る操作パネルの動作（点灯時：例３）を示す図である。
【図１２】実施の形態２に係る操作パネルの動作（全消灯時）を示す図である。
【図１３】実施の形態２に係る操作パネルの動作（点灯時）を示す図である。
【図１４】実施の形態３に係る操作パネルの構成と表示状態を示す図である。
【図１５】実施の形態３に係る操作パネルの動作（切替室選択時）を示す図である。
【図１６】実施の形態３に係る操作パネルの動作（冷凍室選択時）を示す図である。
【図１７】実施の形態４に係る冷蔵庫の概略正面図である。
【図１８】実施の形態４に係る操作パネルの動作（扉開閉なし）を示す図である。
【図１９】実施の形態４に係る操作パネルの動作（切替室扉開閉あり）を示す図である。
【発明を実施するための形態】
【００１４】
実施の形態１．
（冷蔵庫１の構成）
図１は実施の形態１に係る冷蔵庫の概略正面図である。
図１に示すように、冷蔵庫１は、貯蔵室として、最上段に冷蔵室２、その下には正面向かって左側に製氷室３、右側に切替室４、その下には冷凍室５、さらにその下には野菜室６を備えた構成としている。冷蔵室２は、左右２枚のヒンジ式の扉を持った構成となっており、正面向かって左側の表面に操作パネル７が設置されている。
なお、上記のような冷蔵庫１に備えられた各貯蔵室の構成は、例示であり、上記の構成と異なる貯蔵室を備えてもよく、上記の各貯蔵室の一部のみを備えるものとしてもよく、また、これらの貯蔵室の配置の仕方についても限定されるものでもない。
なお、以下の説明において各貯蔵室を「部屋」と称する場合がある。
【００１５】
（操作パネル７の構成）
図２は実施の形態１に係る操作パネルの構成と表示状態を示す図である。
図２（Ａ）は、操作パネル７において後述する表示部９およびスイッチ用表示部１０に表示される全ての表示要素が点灯している状態を示している。
図２（Ａ）に示すように、操作パネル７は、少なくとも、各種設定操作等を実施するためのスイッチ部８、設定内容等を表示する表示部９、及び、スイッチの操作内容（スイッチの意味合い）を表示するスイッチ用表示部１０を備えている。
【００１６】
スイッチ部８は、少なくとも、部屋選択スイッチ８ａ、温度調節スイッチ８ｂ、瞬冷凍スイッチ８ｃ、および、製氷切替スイッチ８ｄにより構成されている。
部屋選択スイッチ８ａは、複数の部屋のうち運転設定を行う部屋を切り替え選択し、設定内容等を表示部９に表示させる部屋を切り替える操作を入力する。なお、運転設定とは、後述する温度調節設定や瞬冷凍機能の有無、自動製氷機能の設定など各部屋に応じた冷却運転に関する設定をいう。
なお、部屋選択スイッチ８ａは、本発明における「選択スイッチ」に相当する。
【００１７】
温度調節スイッチ８ｂは、部屋選択スイッチ８ａにより選択された部屋の温度の調節を実施する。
瞬冷凍スイッチ８ｃは、切替室４の瞬冷凍機能についての設定を実施する。
製氷切替スイッチ８ｄは、製氷室３の自動製氷機能についての設定を実施する。
なお、温度調節スイッチ８ｂ、瞬冷凍スイッチ８ｃ、製氷切替スイッチ８ｄは、本発明における「設定スイッチ」に相当する。
【００１８】
表示部９は、少なくとも、現在選択部屋表示９ａ、温度設定段階表示９ｂ、瞬冷凍表示９ｃ、および、製氷設定表示９ｄにより構成されている。
現在選択部屋表示９ａは、複数の部屋のうち部屋選択スイッチ８ａにより選択された部屋の情報を表示する。例えば図２に示すように各部屋（貯蔵室）の配置位置に対応させて、各部屋の名称を表示する。
なお、現在選択部屋表示９ａは、本発明における「選択部屋表示部」に相当する。
【００１９】
温度設定段階表示９ｂは、「弱」、「強」、「ソフト冷凍」及び「冷凍」等の各部屋の温度設定段階を表示する。
瞬冷凍表示９ｃは、「瞬冷凍」等の切替室４の瞬冷凍機能の設定状況を表示する。
製氷設定表示９ｄは、自動製氷機能を有する製氷室３において、通常の氷を作るか、透明度の高い氷を作るか、急速に氷を作るか、又は、自動製氷機能を一時停止するかの設定状況を表示する。
なお、温度設定段階表示９ｂ、瞬冷凍表示９ｃ、製氷設定表示９ｄは、本発明における「設定表示部」に相当する。
【００２０】
スイッチ用表示部１０は、スイッチ部８の各スイッチのそれぞれに対応して、各スイッチの操作内容（スイッチの意味合い）の情報を表示する。
図２（Ａ）に示すように、スイッチ用表示部１０は、スイッチ部８の近傍（直上）に設けられ、部屋選択スイッチ用表示１０ａ、温度調節スイッチ用表示１０ｂ、瞬冷凍スイッチ用表示１０ｃ、および、製氷切替スイッチ用表示１０ｄにより構成されている。
部屋選択スイッチ用表示１０ａは、部屋選択スイッチ８ａの操作内容として「部屋選択」を表示する。
温度調節スイッチ用表示１０ｂは、温度調節スイッチ８ｂの操作内容として「温度調節」を表示する。
瞬冷凍スイッチ用表示１０ｃは、瞬冷凍スイッチ８ｃの操作内容として「瞬冷凍」を表示する。
製氷切替スイッチ用表示１０ｄは、製氷切替スイッチ８ｄの操作内容として「製氷切替」を表示する。
なお、スイッチ用表示部１０の表示内容はこれに限るものではなく、各スイッチの操作内容を示す情報であれば良い。例えば記号や図形などでも良い。
【００２１】
また、図２（Ｂ）は、操作パネル７において表示部９およびスイッチ用表示部１０に表示される全ての表示要素が消灯している状態を示している。なお、操作パネル７においていずれかのスイッチが操作された場合、又は、各部屋の扉の開閉を検知した場合等のみ所定時間だけ表示部９の表示要素を点灯する仕組みとしてもよい。このような仕組みにすることによって、操作パネル７を使用していない場合は、図２（Ｂ）で示されるようなイメージとなって、目立たなくなり、冷蔵庫１の扉と同化して、操作パネル７が目立たない高いデザイン性を得ることができる。
なお、図２に示すスイッチ部８、表示部９、およびスイッチ用表示部１０の構成は例示であり、その他の機能を有するスイッチ、又は、その他の情報を表示する表示要素を有する構成としてもよい。
【００２２】
図３は実施の形態１に係る操作パネルの断面図である。
図３に示すように、基板１１の表面には、タクトスイッチ１２及びＬＥＤ１３が実装されている。このタクトスイッチ１２及びＬＥＤ１３を囲うようにエレクトボックス１４が設置されている。
基板１１の反対側のエレクトボックス１４の面には、文字抜きされた表示面１７を含む表面部品１６が設置されており、操作パネル７の表面を形成する。
また、タクトスイッチ１２の上（基板１１の設置面とは反対側）には、操作部分が表面部品１６を貫通するボタン１５が設置されており、ユーザーがこのボタン１５をタクトスイッチ１２方向に押下することによって、各種設定等の操作が実施される。タクトスイッチ１２及びボタン１５は、前述のスイッチ部８の各スイッチを構成するものである。
【００２３】
表面部品１６における裏面は、印刷等によって着色されており、光を遮断する色及び厚みを備えており、文字抜きされた表示面１７は、その文字抜きされた部分が、白抜き、又は、他の部分よりも薄い色となるように構成されている。
前述のＬＥＤ１３が点灯すると、文字抜きされた表示面１７からのみＬＥＤ１３の光が透過し、表示させたい文字、数字又は図柄等が可視化する。また、ＬＥＤ１３が消灯すると、表示面１７の文字抜き部分は見えなくなり、表面部品１６のみが見える状態になる。
操作パネル７において、個別に表示させたい文字、数字又は図柄等毎にＬＥＤ１３を設置して、それぞれのＬＥＤ１３が点灯及び消灯する構成となっている。
【００２４】
なお、操作パネル７の構成はこれに限るものではない。例えば、表示部９およびスイッチ用表示部１０をＬＣＤ（Ｌｉｑｕｉｄ  Ｃｒｙｓｔａｌ  Ｄｉｓｐｌａｙ）で構成し、その上方に設けたタッチスイッチによりスイッチ部８を構成しても良い。
なお、以下の説明において、表示の点灯という場合には、ＬＥＤ１３の点灯により文字抜きされた表示面１７からＬＥＤ１３の光が透過することをいい、表示の消灯という場合には、ＬＥＤ１３の消灯をいう。なお、表示部９やスイッチ用表示部１０をＬＣＤやその他の表示装置で構成する場合には、表示装置に情報を表示することが「表示部の点灯」に相当し、表示装置に情報を表示しないことを「表示部の消灯」に相当する。
【００２５】
（操作パネル７の操作手順）
次に、操作パネル７の操作手順について説明する。
図４は実施の形態１に係る操作パネルによる各設定の選択範囲と変更順序を示す図である。
なお、図４に示す各設定や切り替えられる順序等は例示であり、本発明はこれに限定されるものではない。
【００２６】
ユーザーの操作により、部屋選択スイッチ８ａが押下されると、図４（ａ）で示す順序で部屋が選択される。現在選択部屋表示９ａには、選択された部屋の情報が表示される。
【００２７】
次に、温度調節スイッチ８ｂが押下されると、図４（ｂ）に示す順序で、選択された部屋の温度設定が変更される。温度設定段階表示９ｂには、選択した部屋に設定された温度調節段階の表示がされる。
【００２８】
瞬冷凍スイッチ８ｃは、選択された部屋が切替室４である場合のみ有効なスイッチである。部屋選択スイッチ８ａの操作により、切替室４が選択されているときに瞬冷凍スイッチ８ｃが押下されると、図４（ｃ）に示す順序で、切替室４の瞬冷凍機能の有無が設定される。瞬冷凍表示９ｃには、設定された瞬冷凍機能の有無により点灯／消灯が切り替わる。
一方、部屋選択スイッチ８ａの操作により、切替室４以外の部屋が選択されているときには、瞬冷凍スイッチ８ｃの操作は無効となる。
また、瞬冷凍スイッチ８ｃのスイッチ操作が有効の場合には、瞬冷凍スイッチ用表示１０ｃは点灯とし、スイッチ操作が無効の場合は、瞬冷凍スイッチ用表示１０ｃを消灯する。これにより、瞬冷凍スイッチ８ｃが無効操作であることをユーザーに認識させることができる。
【００２９】
製氷室３は、自動製氷機能を備えた部屋であり、氷の作り方の種類としては、例えば、通常の氷、透明度の高い氷、及び、急速に氷を生成する方法がある。
製氷切替スイッチ８ｄは、部屋選択の結果によらず、製氷室３の製氷機能の設定を切り替えることが可能である。製氷切替スイッチ８ｄが押下されると、図４（ｄ）に示す順序で、製氷機能の設定が変更される。製氷設定表示９ｄには、設定された製氷機能の表示がされる。
【００３０】
このように、操作パネル７の各スイッチは、設定内容によって所定の順序で操作する必要がある。
すなわち、任意の部屋の温度設定を変更する操作を行う場合には、ユーザーは、まず、現在選択部屋表示９ａにより任意の部屋を選択し、次に温度調節スイッチ８ｂを操作して所望する温度段階に設定する。また、切替室４の瞬冷凍機能の有無を切り替える場合には、ユーザーは、まず、現在選択部屋表示９ａにより切替室４を選択し、次に瞬冷凍表示９ｃを操作して瞬冷凍機能の有無を設定する。
一方、操作パネル７の各スイッチの中には、常時操作が可能なスイッチもある。
すなわち、製氷室３の製氷機能の設定を変更する場合には、ユーザーは、部屋の選択によらず、製氷切替スイッチ８ｄを操作して所望する製氷機能を設定する。
【００３１】
（操作パネル７の表示動作）
次に、このような構成の操作パネル７において、操作パネル７に設けられた各スイッチを、どのような順序で操作すればよいかユーザーに認識させる表示動作について説明する。
【００３２】
［全消灯時］
まず、全ての表示が消灯しているとき（表示がされていないとき）に、スイッチ部８の操作があり、表示の点灯を開始する際の動作を説明する。
なお、全ての表示が消灯しているときとは、例えば、前回のスイッチ部８の操作を行ったあと、所定時間（約３０秒）操作がない場合に、節電のため、または、意匠性を高めるため、全ての表示を消灯している状態である。
【００３３】
図５は実施の形態１に係る操作パネルの動作（全消灯時：例１）を示す図である。
図５（Ａ）のように全ての表示が消灯しているときに、スイッチ部８のいずれかのスイッチが操作されると、図５（Ｂ）の点線ｂで示すように、まず、表示部９のうち現在選択部屋表示９ａ、および、スイッチ用表示部１０のうち部屋選択スイッチ用表示１０ａのみを表示（点灯）する。
現在選択部屋表示９ａと部屋選択スイッチ用表示１０ａを表示してから、所定時間（約０．５秒）経過した後、図５（Ｃ）の点線ｃで示すように、表示部９の残りの表示（温度設定段階表示９ｂ、瞬冷凍表示９ｃ、製氷設定表示９ｄ）、および、スイッチ用表示部１０の残りの表示（温度調節スイッチ用表示１０ｂ、瞬冷凍スイッチ用表示１０ｃ、製氷切替スイッチ用表示１０ｄ）を表示（点灯）する。
【００３４】
このように、現在選択部屋表示９ａと部屋選択スイッチ用表示１０ａを先に表示（点灯）することで、ユーザーに、最初に部屋選択の操作を行うことを、視覚的に報知することができる。
【００３５】
全消灯時の他の表示動作例について説明する。
図６は実施の形態１に係る操作パネルの動作（全消灯時：例２）を示す図である。
図６（Ａ）のように全ての表示が消灯しているときに、スイッチ部８のいずれかのスイッチが操作されると、図６（Ｂ）の点線ｂで示すように、まず、表示部９のうち現在選択部屋表示９ａのみを表示（点灯）する。そして、現在選択部屋表示９ａを表示してから、所定時間（約０．５秒）経過した後、図６（Ｃ）の点線ｃで示すように、スイッチ用表示部１０のうち部屋選択スイッチ用表示１０ａのみを表示（点灯）する。
部屋選択スイッチ用表示１０ａを表示してから、所定時間（約０．５秒）経過した後、図６（Ｄ）の点線ｄで示すように、表示部９の残りの表示（温度設定段階表示９ｂ、瞬冷凍表示９ｃ、製氷設定表示９ｄ）を表示（点灯）する。
表示部９の残りの表示をしてから、所定時間（約０．５秒）経過した後、図６（Ｅ）の点線ｅで示すように、スイッチ用表示部１０の残りの表示（温度調節スイッチ用表示１０ｂ、瞬冷凍スイッチ用表示１０ｃ、製氷切替スイッチ用表示１０ｄ）を表示（点灯）する。
【００３６】
このように、表示部９に対して、スイッチ用表示部１０を所定時間（約０．５秒）遅らせて表示（点灯）させてもよく、状態を表す表示部９と、スイッチの操作内容（意味合い）を表すスイッチ用表示１０とを明確に区別することができる。
【００３７】
全消灯時の他の表示動作例について説明する。
図７は実施の形態１に係る操作パネルの動作（全消灯時：例３）を示す図である。
図７（Ａ）のように全ての表示が消灯しているときに、スイッチ部８のいずれかのスイッチが操作されると、図７（Ｂ）の点線ｂで示すように、まず、表示部９のうち現在選択部屋表示９ａ、および、スイッチ用表示部１０のうち部屋選択スイッチ用表示１０ａのみを表示（点灯）する。
現在選択部屋表示９ａと部屋選択スイッチ用表示１０ａを表示してから、所定時間（約０．５秒）経過した後、図７（Ｃ）の点線ｃで示すように、表示部９のうち温度設定段階表示９ｂ、および、スイッチ用表示部１０のうち温度調節スイッチ用表示１０ｂを表示（点灯）する。
そして、温度設定段階表示９ｂと温度調節スイッチ用表示１０ｂを表示してから、所定時間（約０．５秒）経過した後、図７（Ｄ）の点線ｄで示すように、表示部９の残りの表示（瞬冷凍表示９ｃ、製氷設定表示９ｄ）、および、スイッチ用表示部１０の残りの表示（瞬冷凍スイッチ用表示１０ｃ、製氷切替スイッチ用表示１０ｄ）を表示（点灯）する。
【００３８】
このように、まず、現在選択部屋表示９ａと部屋選択スイッチ用表示１０ａを点灯させ、所定の時間（約０．５秒）経過後に、温度設定段階表示９ｂと温度調節スイッチ用表示１０ｂを点灯させ、更に所定の時間（約０．５秒）経過後に、瞬冷凍表示９ｃ、瞬冷凍スイッチ用表示１０ｃ、製氷設定表示９ｄ、製氷切替スイッチ用表示１０ｄを点灯させても良い。
【００３９】
全消灯時の他の表示動作例について説明する。
図８は実施の形態１に係る操作パネルの動作（全消灯時：例４）を示す図である。
図８（Ａ）のように全ての表示が消灯しているときに、スイッチ部８のいずれかのスイッチが操作されると、図８（Ｂ）の点線ｂ１および点線ｂ２で示すように、表示部９のうち現在選択部屋表示９ａと製氷設定表示９ｄ、および、スイッチ用表示部１０のうち部屋選択スイッチ用表示１０ａと製氷切替スイッチ用表示１０ｄのみを表示（点灯）する。
そして、所定時間（約０．５秒）経過した後、図８（Ｃ）の点線ｃで示すように、表示部９のうち温度設定段階表示９ｂ、および、スイッチ用表示部１０のうち温度調節スイッチ用表示１０ｂを表示（点灯）する。
温度設定段階表示９ｂと温度調節スイッチ用表示１０ｂを表示してから、所定時間（約０．５秒）経過した後、図８（Ｄ）の点線ｄで示すように、表示部９の瞬冷凍表示９ｃ、および、スイッチ用表示部１０の瞬冷凍スイッチ用表示１０ｃを表示（点灯）する。
【００４０】
製氷設定は、前述の通り、部屋選択の結果によらず、製氷設定を切り替えることが可能なため、図８に示すように、現在選択部屋表示９ａ、部屋選択スイッチ用表示１０ａが点灯するときに、同時に製氷設定表示９ｄ、製氷切替スイッチ用表示１０ｄを点灯させても良い。これにより、ユーザーに、製氷切替スイッチ８ｄが操作可能であることを、視覚的に報知することができる。
【００４１】
なお、上記説明では、表示（点灯）を遷移させる所定時間を約０．５秒としたが、この時間は任意でよい。あまり短い時間だと、人間の目の錯覚で、順次表示したことが認識できない場合もあり、また、見逃す場合もある。また、あまりに長すぎると、逆に違和感を覚え、故障と誤認識する恐れがあるので、０．１〜１秒程度が適当といえる。
【００４２】
［点灯時］
次に、表示が点灯しているときに、部屋選択スイッチ８ａを操作した際の動作について説明する。
【００４３】
図９は実施の形態１に係る操作パネルの動作（点灯時：例１）を示す図である。
図９（Ａ）に示すように、現在選択部屋表示９ａに切替室４の選択状態を表示しているときに、部屋選択スイッチ８ａが操作されると、図９（Ｂ）の点線ｂ１で示すように、現在選択部屋表示９ａは、切替室４の次の部屋である冷凍室５の表示「冷凍」に移行する。このとき、図９（Ｂ）の点線ｂ２で示すように、現在選択部屋表示９ａおよび部屋選択スイッチ用表示１０ａ以外の表示を、一旦消灯させる。
そして、消灯後、所定時間（０．５秒）経過すると、図９（Ｃ）の点線ｃ１およびｃ２に示すように、再び、消灯していた表示の点灯（温度設定段階表示９ｂと温度調節スイッチ用表示１０ｂ、および、製氷設定表示９ｄと製氷切替スイッチ用表示１０ｄ）を再開する。
【００４４】
このように、部屋選択スイッチ８ａを操作した後、表示を消灯し、次に操作するスイッチに対応する表示をすることで、ユーザーに、部屋選択の操作の次に行う操作を、視覚的に報知することができる。
【００４５】
このとき、選択されている部屋は、冷凍室５であり、前述の通り、瞬冷凍スイッチ８ｃは切替室４のときのみ有効であるため、瞬冷凍表示９ｃと瞬冷凍スイッチ用表示１０ｃは、点灯させないことで、冷凍室５の選択時は、瞬冷凍スイッチ用表示１０ｃの操作が無効であることを報知する。
【００４６】
点灯時の他の表示動作例について説明する。
図１０は実施の形態１に係る操作パネルの動作（点灯時：例２）を示す図である。
図１０（Ａ）に示すように、現在選択部屋表示９ａに切替室４の選択状態を表示しているときに、部屋選択スイッチ８ａが操作されると、図１０（Ｂ）の点線ｂ１で示すように、現在選択部屋表示９ａは、切替室４の次の部屋である冷凍室５の表示「冷凍」に移行する。このとき、図１０（Ｂ）の点線ｂ２で示すように、現在選択部屋表示９ａおよび部屋選択スイッチ用表示１０ａ以外の表示を、一旦消灯させる。
消灯後、所定時間（０．５秒）経過すると、まず、図１０（Ｃ）の点線ｃに示すように、消灯していた表示のうち、温度設定段階表示９ｂと温度調節スイッチ用表示１０ｂのみの点灯を再開する。
そして、所定時間（０．５秒）経過すると、図１０（Ｄ）の点線ｄに示すように、消灯していた表示のうち、製氷設定表示９ｄと製氷切替スイッチ用表示１０ｄの点灯を再開する。
【００４７】
このように、消灯していた表示の点灯を再開する際には、まず、部屋選択スイッチ８ａの次の操作に対応する温度設定段階表示９ｂと温度調節スイッチ用表示１０ｂを点灯させて、所定時間（０．５秒）経過後に、その他の表示（製氷設定表示９ｄと製氷切替スイッチ用表示１０ｄ）を点灯させても良い。
【００４８】
点灯時の他の表示動作例について説明する。
図１１は実施の形態１に係る操作パネルの動作（点灯時：例３）を示す図である。
図１１（Ａ）に示すように、現在選択部屋表示９ａに切替室４の選択状態を表示しているときに、部屋選択スイッチ８ａが操作されると、図１１（Ｂ）の点線ｂ１で示すように、現在選択部屋表示９ａは、切替室４の次の部屋である冷凍室５の表示「冷凍」に移行する。このとき、図１１（Ｂ）の点線ｂ１、ｂ３で示す、現在選択部屋表示９ａと部屋選択スイッチ用表示１０ａの表示、および、製氷設定表示９ｄと製氷切替スイッチ用表示１０ｄ以外の表示（点線ｂ２）を、一旦消灯させる。
そして、消灯後、所定時間（０．５秒）経過すると、図１１（Ｃ）の点線ｃに示すように、消灯していた表示のうち、温度設定段階表示９ｂと温度調節スイッチ用表示１０ｂの点灯を再開する。
なお、ここでは、冷凍室５が選択されたため、前述の通り、瞬冷凍表示９ｃと瞬冷凍スイッチ用表示１０ｃは点灯させない。
【００４９】
製氷設定は部屋表示によらず、操作可能であるため、図１１に示すように、部屋選択スイッチ８ａを操作したときに、製氷設定表示９ｄ、製氷切替スイッチ用表示１０ｄは消灯せずに、点灯のままとしてもよい。これにより、ユーザーに、製氷切替スイッチ８ｄが操作可能であることを、視覚的に報知することができる。
【００５０】
（効果）
以上のように本実施の形態においては、スイッチ部８の各スイッチの操作順序に応じて、表示部９に表示する情報を順次表示する。
このため、操作パネル７に設けられたスイッチ部８の各スイッチを、どのような操作が可能であるのか、ユーザーに認識させることができ、操作パネルの操作性を向上することができる。
【００５１】
また本実施の形態においては、スイッチ部８の各スイッチのそれぞれに対応して、各スイッチの操作内容の情報を表示するスイッチ用表示部１０を有し、スイッチ部８の各スイッチの操作順序に応じて、スイッチ用表示部１０に表示する情報を順次表示する。
このため、操作パネル７に設けられたスイッチ部８の各スイッチを、どのような操作が可能であるのか、ユーザーに認識させることができ、操作パネルの操作性を向上することができる。
【００５２】
また本実施の形態においては、スイッチ用表示部１０に表示する各スイッチの操作内容の情報のうち、操作が無効状態のスイッチに対応する操作内容の情報を表示しない。
このため、無効な操作がある場合には、操作できないことをユーザーに認識させることができ、操作パネルの操作性を向上することができる。
【００５３】
なお、本実施の形態では、スイッチ部８の各スイッチのそれぞれに対応して、各スイッチの操作内容を表示するスイッチ用表示部１０を設ける場合を説明したが、本発明はこれに限るものではなく、スイッチ用表示部１０を省略しても良い。例えばスイッチ部８の近傍に操作内容を印字しても良い。
このような構成であっても、表示部９に表示する情報を順次表示することで、操作パネル７に設けられたスイッチ部８の各スイッチを、どのような操作が可能であるのかユーザーに認識させることができ、操作パネルの操作性を向上することができる。
【００５４】
実施の形態２．
本実施の形態２では、表示の遷移時に、スイッチ部８により選択・設定可能な情報を所定時間表示する形態について説明する。
なお、本実施の形態２における冷蔵庫１および操作パネル７の構成は、実施の形態１と同様であり、同一部分には同一の符号を付する。
【００５５】
［全消灯時］
まず、全ての表示が消灯しているとき（表示がされていないとき）に、スイッチ部８の操作があり、表示の点灯を開始する際の動作を説明する。
【００５６】
図１２は実施の形態２に係る操作パネルの動作（全消灯時）を示す図である。
図１２（Ａ）のように全ての表示が消灯しているときに、スイッチ部８のいずれかのスイッチが操作されると、図１２（Ｂ）の点線ｂで示すように、まず、表示部９のうち現在選択部屋表示９ａおよび部屋選択スイッチ用表示１０ａのみを点灯する。このとき、現在選択部屋表示９ａについて、そのときに選択している部屋だけでなく、部屋選択スイッチ８ａにより選択可能な全ての部屋（「冷蔵」「切替」「冷凍」「野菜」）の表示を点灯する。
そして、所定時間（約０．５秒）経過すると、図１２（Ｃ）の点線ｃ１で示すように、現在選択部屋表示９ａについては、部屋選択スイッチ８ａにより選択された部屋「切替」の表示を点灯し、それ以外は消灯する。
また同時に、点線ｃ２で示すように、表示部９の残りの表示（温度設定段階表示９ｂ、瞬冷凍表示９ｃ、製氷設定表示９ｄ）、および、スイッチ用表示部１０の残りの表示（温度調節スイッチ用表示１０ｂ、瞬冷凍スイッチ用表示１０ｃ、製氷切替スイッチ用表示１０ｄ）を点灯する。この表示部９およびスイッチ用表示部１０の残りの表示を点灯する際も、そのときに選択している表示のみでなく、設定可能な表示を全て点灯する。
そして、所定時間（約０．５秒）経過後に、図１２（Ｄ）の点線ｄ１、ｄ２に示すように、表示部９およびスイッチ用表示部１０のうち設定状態に対応する表示以外を消灯する。
【００５７】
なお、図１２（Ｃ）、（Ｄ）の例では、温度設定段階表示９ｂ、瞬冷凍表示９ｃ、製氷設定表示９ｄを同時に点灯させているが、これに限らず、実施の形態１と同様に、各表示を操作の手順に基づき、順番に点灯させてもよい。
【００５８】
［点灯時］
次に、表示が点灯しているときに、部屋選択スイッチ８ａを操作した際の動作について説明する。
【００５９】
図１３は実施の形態２に係る操作パネルの動作（点灯時）を示す図である。
図１３（Ａ）に示すように、現在選択部屋表示９ａに切替室４の選択状態を表示しているときに、部屋選択スイッチ８ａが操作されると、図１３（Ｂ）の点線ｂ１で示すように、現在選択部屋表示９ａは、切替室４の次の部屋である冷凍室５の表示「冷凍」に移行する。このとき、図１３（Ｂ）の点線ｂ２で示すように、現在選択部屋表示９ａおよび部屋選択スイッチ用表示１０ａ以外の表示を、一旦消灯させる。
そして、消灯後、所定時間（０．５秒）経過すると、図１３（Ｃ）の点線ｃに示すように、再び、消灯していた表示の点灯（温度設定段階表示９ｂと温度調節スイッチ用表示１０ｂ、および、製氷設定表示９ｄと製氷切替スイッチ用表示１０ｄ）を再開する。この際、選択している表示のみでなく、設定可能な表示を全て点灯する。
そして、所定時間（約０．５秒）経過後に、図１３（Ｄ）の点線ｄに示すように、表示部９およびスイッチ用表示部１０のうち設定状態に対応する表示以外を消灯する。
【００６０】
なお、図１３（Ｃ）、（Ｄ）の例では、温度設定段階表示９ｂ、瞬冷凍表示９ｃ、製氷設定表示９ｄを同時に点灯させているが、これに限らず、実施の形態１と同様に、各表示を操作の手順に基づき、順番に点灯させてもよい。
【００６１】
（効果）
以上のように本実施の形態においては、スイッチ部８の各スイッチの操作順序に応じて、表示部９の表示をする際、スイッチ部８のスイッチにより選択または設定可能な全ての情報を所定時間表示した後に、スイッチ部８に選択または設定された情報を表示する。
このため、操作パネル７に設けられたスイッチ部８の各スイッチによりどのような操作が可能であるのかユーザーに認識させることができ、操作パネル７の操作性を向上することができる。
【００６２】
実施の形態３．
本実施の形態３では、１つのスイッチにより複数の運転設定の操作を行う形態について説明する。
【００６３】
図１４は実施の形態３に係る操作パネルの構成と表示状態を示す図である。
図１４では、操作パネル７において表示部９およびスイッチ用表示部１０に表示される全ての表示要素が点灯している状態を示している。
図１４に示すように、本実施の形態３における操作パネル７は、上記実施の形態１の構成（図２）に加え、表示部９の瞬冷凍表示９ｃと近接して、急冷表示９ｅを備えている。
また、スイッチ用表示部１０の瞬冷凍スイッチ用表示１０ｃと近接して、急冷スイッチ用表示１０ｅを備えている。
急冷表示９ｅは、冷凍室５の冷却機能の設定状況を表示するものである。
急冷スイッチ用表示１０ｅは、瞬冷凍スイッチ８ｃの操作内容として「急冷」を表示するものである。
【００６４】
また、本実施の形態における瞬冷凍スイッチ８ｃは、切替室４が選択されている場合には、切替室４の瞬冷凍機能の有無を切り替えるスイッチとして動作し、切替室４以外が選択されている場合には、急冷機能の有無を切り替えるスイッチとして動作する。
このように、瞬冷凍スイッチ８ｃは、部屋選択スイッチ８ａにより選択された部屋に応じて、複数の運転設定の操作を行う。
【００６５】
なお、急冷表示９ｅは、本発明における「設定表示部」に相当する。
なお、本実施の形態３における冷蔵庫１の構成、および操作パネル７のその他の構成は、実施の形態１と同様であり、同一部分には同一の符号を付する。
【００６６】
上記構成の操作パネル７の動作について説明する。
図１５は実施の形態３に係る操作パネルの動作（切替室選択時）を示す図である。
図１５（Ａ）に示すように、部屋選択スイッチ８ａにより、切替室４が選択されている場合は、切替室４の瞬冷凍機能の操作が有効のため、瞬冷凍スイッチ用表示１０ｃを点灯し、急冷スイッチ用表示１０ｅを消灯する。このとき瞬冷凍スイッチ８ｃを操作するたびに、図１５（Ａ）の点線ａおよび図１５（Ｂ）の点線ｂで示すように、瞬冷凍表示９ｃの点灯／消灯を切り替える。
【００６７】
図１６は実施の形態３に係る操作パネルの動作（冷凍室選択時）を示す図である。
図１６（Ａ）に示すように、部屋選択スイッチ８ａにより、切替室４以外（例えば冷凍室５）が選択されている場合は、瞬冷凍機能は無効となり、急冷機能が有効となるため、瞬冷凍スイッチ用表示１０ｃを消灯し、急冷スイッチ用表示１０ｅを点灯する。このとき瞬冷凍スイッチ８ｃを操作するたびに、図１６（Ａ）の点線ａおよび図１６（Ｂ）の点線ｂで示すように、急冷表示９ｅの点灯／消灯を切り替える。
【００６８】
なお、図１５、図１６の例では、瞬冷凍表示９ｃと急冷表示９ｅの２つ機能を現在選択部屋表示９ａの結果により区別しているが、これに限らず、３つ以上の機能を切り替えてもよい。また、瞬冷凍機能、急冷機能に限らず、別の機能を割り当ててもよい。
【００６９】
（効果）
以上のように本実施の形態においては、複数の設定スイッチのうち少なくとも１つは、部屋選択スイッチ８ａにより選択された部屋に応じて複数の運転設定の操作を行う。そして、スイッチ用表示部１０は、複数の運転設定の操作を行う設定スイッチの操作内容の情報を、部屋選択スイッチ８ａにより選択された部屋に応じて表示する。
このため、スイッチ部８の一つのスイッチに、複数の操作内容（意味合い）を持たせることができ、機能ごとに新たにスイッチを増やす必要がない。また、部屋の選択状態などにより、複数の運転設定が可能なスイッチにより実施できる機能を、ユーザーに報知することができる。
よって、操作パネル７に設けられたスイッチによりどのような操作が可能であるのかユーザーに認識させることができ、操作パネル７の操作性を向上することができる。
【００７０】
実施の形態４．
本実施の形態４では、部屋選択スイッチ８ａの操作に代えて、各部屋（貯蔵室）の扉の開閉により、運転設定を行う部屋を選択する形態について説明する。
【００７１】
図１７は実施の形態４に係る冷蔵庫の概略正面図である。
図１７に示すように、本実施の形態における冷蔵庫１は、各部屋ごとに、扉の開閉を検知する扉開閉検知手段１８を備えている。
冷蔵室扉開閉検知手段１８ａは、冷蔵室２の扉の開閉を検知する。
製氷室扉開閉検知手段１８ｂは、製氷室３の扉の開閉を検知する。
切替室扉開閉検知手段１８ｃは、切替室４の扉の開閉を検知する。
冷凍室扉開閉検知手段１８ｄは、冷凍室５の扉の開閉を検知する。
野菜室扉開閉検知手段１８ｅは、野菜室６の扉の開閉を検知する。
【００７２】
なお、本実施の形態４における冷蔵庫１のその他の構成、および操作パネル７の構成は、実施の形態１〜３の何れかと同様であり、同一部分には同一の符号を付する。
【００７３】
次に、上記の構成の冷蔵庫において、操作パネル７の動作について説明する。
【００７４】
［扉開閉なし］
まず、扉の開閉がない場合の表示動作について説明する。
図１８は実施の形態４に係る操作パネルの動作（扉開閉なし）を示す図である。
操作パネル７に設けられたスイッチ部８の操作を行ったあと（図１８（Ａ））、所定時間（約３０秒）継続してスイッチ部８の操作がない場合は、節電のため、または、意匠性を高めるため、表示部９およびスイッチ用表示部１０の全ての表示を消灯する（図１８（Ｂ））。
このとき、現在選択部屋表示９ａにより選択された部屋（例えば冷蔵室２）の情報を、図示しない記憶装置（メモリ等）に記憶しておき、次に、スイッチ部８のいずれかのスイッチが操作されると、現在選択部屋表示９ａについて、前回選択していた部屋（冷蔵室２）の表示から点灯を開始する（図１８（Ｃ））。
【００７５】
［扉開閉あり］
次に、操作パネル７の全ての表示が消灯しているときに、扉の開閉があった場合の動作について説明する。
図１９は実施の形態４に係る操作パネルの動作（切替室扉開閉あり）を示す図である。
操作パネル７に設けられたスイッチ部８の操作を行ったあと（図１９（Ａ））、所定時間（約３０秒）継続してスイッチ部８の操作がない場合は、節電のため、または、意匠性を高めるため、表示部９およびスイッチ用表示部１０の全ての表示を消灯する（図１９（Ｂ））。このとき、現在選択部屋表示９ａにより選択された部屋（例えば冷蔵室２）の情報を、図示しない記憶装置（メモリ等）に記憶する。
ここで、例えば切替室４の扉が開閉されると、切替室扉開閉検知手段１８ｃは、切替室４の扉の開閉を検知する。操作パネル７は、切替室扉開閉検知手段１８ｃにより切替室４の扉の開閉が検知されると、記憶している部屋を冷蔵室２から切替室４に変更する（図１９（Ｃ））。
その後、スイッチ部８のいずれかのスイッチが操作されると、現在選択部屋表示９ａについて、記憶している部屋（切替室４）の表示から点灯を開始する（図１９（Ｄ））。なお、表示動作は上記実施の形態１〜３のいずれかと同様である。
このように、本実施の形態４では、扉の開閉があった場合には、操作パネル７は、部屋選択スイッチ８ａの操作に代えて、扉開閉検知手段１８により扉の開閉を検知した部屋を、運転設定を行う部屋として選択する。
【００７６】
なお、図１９の例では、切替室４の扉の開閉による動作を示しているが、これに限らず、各扉の開閉を検知した場合にも同様に、記憶している部屋を、扉の開閉があった部屋に変更する。
【００７７】
なお、全ての表示が消灯している場合だけでなく、表示が点灯しているときにも、各扉の開閉を検知したとき、選択している部屋を、扉の開閉があった部屋に変更してもよいが、この場合、スイッチ部８の操作を行っていなくても、扉の開閉のたびに表示が切替り、ユーザーの混乱を招く恐れがあるため、消灯中に限定することが望ましい。
【００７８】
なお、本実施の形態においては、全ての部屋について扉開閉検知手段１８を設ける場合を説明したが、本発明はこれに限らず、各部屋の扉のうち少なくとも１つの扉の開閉を検知すればよい。この場合、扉の開閉が検知できる部屋のみで上記の動作を実施してもよい。
【００７９】
また、扉開閉検知手段１８を設けた部屋について、全ての部屋で実施する必要はなく、特定の部屋（例えば切替室４）のみ、扉の開閉があった場合に、記憶している部屋の変更を行ってもよい。
【００８０】
（効果）
以上のように本実施の形態においては、各部屋の扉の開閉を検知する扉開閉検知手段１８を備え、操作パネル７は、部屋選択スイッチ８ａの操作に代えて、扉開閉検知手段１８により扉の開閉を検知した部屋を、運転設定を行う部屋として選択する。
このため、扉を開けて食品の出し入れなどの作業を行ったあとに、操作パネル７の操作を行う際、スイッチ部８によって部屋を選択する必要がなくなるため、操作手順を１ステップ省略することができる。よって、操作パネルの操作性を向上することができる。
【符号の説明】
【００８１】
１  冷蔵庫、２  冷蔵室、３  製氷室、４  切替室、５  冷凍室、６  野菜室、７  操作パネル、８  スイッチ部、８ａ  部屋選択スイッチ、８ｂ  温度調節スイッチ、８ｃ  瞬冷凍スイッチ、８ｄ  製氷切替スイッチ、９  表示部、９ａ  現在選択部屋表示、９ｂ  温度設定段階表示、９ｃ  瞬冷凍表示、９ｄ  製氷設定表示、９ｅ  急冷表示、１０  スイッチ用表示部、１０ａ  部屋選択スイッチ用表示、１０ｂ  温度調節スイッチ用表示、１０ｃ  瞬冷凍スイッチ用表示、１０ｄ  製氷切替スイッチ用表示、１０ｅ  急冷スイッチ用表示、１１  基板、１２  タクトスイッチ、１３  ＬＥＤ、１４  エレクトボックス、１５  ボタン、１６  表面部品、１７  表示面、１８  扉開閉検知手段、１８ａ  冷蔵室扉開閉検知手段、１８ｂ  製氷室扉開閉検知手段、１８ｃ  切替室扉開閉検知手段、１８ｄ  冷凍室扉開閉検知手段、１８ｅ  野菜室扉開閉検知手段。
【図１】
0005656782.tif 000002
【図２】
0005656782.tif 000003
【図３】
0005656782.tif 000004
【図４】
0005656782.tif 000005
【図５】
0005656782.tif 000006
【図６】
0005656782.tif 000007
【図７】
0005656782.tif 000008
【図８】
0005656782.tif 000009
【図９】
0005656782.tif 000010
【図１０】
0005656782.tif 000011
【図１１】
0005656782.tif 000012
【図１２】
0005656782.tif 000013
【図１３】
0005656782.tif 000014
【図１４】
0005656782.tif 000015
【図１５】
0005656782.tif 000016
【図１６】
0005656782.tif 000017
【図１７】
0005656782.tif 000018
【図１８】
0005656782.tif 000019
【図１９】
0005656782.tif 000020